(57)【要約】【課題】バッテリ集合体の各バッテリを直列接続するために前記バッテリ集合体に設置されるバスバモジュールにおいて、モジュール本体部の剛性が低くても、ヒンジカバーの被係止部がモジュール本体部の係止部と係合しやすいバスバモジュールを提供する。【解決手段】出力端子設置部１３が設けられている第１のモジュール本体部３と、第１のモジュール本体部に対して着脱自在である第２のモジュール本体部５と、出力端子を覆うためにヒンジ部２１を介して第１のモジュール本体部に設けられている出力端子カバー１９と、出力端子カバーに設けられているカバー被係止部２３と、出力端子カバーのカバー被係止部が係止されるカバー係止部２７と、第２のモジュール本体部が第１のモジュール本体部に設置されときに出力端子設置部に係合し出力端子設置部の変形を防止する補強部３１とを有するバスバモジュール１である。【選択図】図１
2014017107.tif 000002
【特許請求の範囲】
【請求項１】
バッテリ集合体の各バッテリを直列接続するために、前記バッテリ集合体に設置されて使用されるバスバモジュールにおいて、
出力端子が設置される出力端子設置部が設けられている第１のモジュール本体部と、
前記第１のモジュール本体部に対して着脱自在である第２のモジュール本体部と、
前記出力端子設置部に設置された出力端子を覆うために、ヒンジ部を介して前記第１のモジュール本体部に設けられている出力端子カバーと、
前記出力端子カバーに設けられているカバー被係止部と、
前記第１のモジュール本体部の出力端子設置部に設けられ、前記出力端子カバーが前記出力端子設置部に設置された出力端子を覆うときに、前記出力端子カバーのカバー被係止部が係止されるカバー係止部と、
前記第２のモジュール本体部に設けられ、前記第２のモジュール本体部が前記第１のモジュール本体部に設置されときに前記出力端子設置部に係合し、前記カバー被係止部が前記カバー係止部に係止されるときに前記出力端子設置部の変形を防止する補強部と、
を有することを特徴とするバスバモジュール。
【請求項２】
請求項１に記載のバスバモジュールにおいて、
前記出力端子設置部は、板状に形成されており、
前記補強部も、板状に形成されており、
前記第２のモジュール本体部が前記第１のモジュール本体部に設置されたときには、前記補強部が前記出力端子設置部に重なるように構成されており、
前記カバー被係止部が前記カバー係止部に係止されるときに前記出力端子カバーから前記出力端子設置部が受ける反力の方向と、前記出力端子設置部と前記補強部との厚さ方向であって前記出力端子設置部から前記補強部に向かう方向とが、お互いにほぼ一致するように構成されていることを特徴とするバスバモジュール。
【請求項３】
請求項２に記載のバスバモジュールにおいて、
前記出力端子設置部は、平板状の出力端子設置部本体部と、この出力端子設置部本体部から突出している出力端子設置部リブとを備えて構成されており、
前記補強部は、平板状の補強部本体部と、この補強部本体部から突出している補強部リブとを備えて構成されており、
前記第２のモジュール本体部が前記第１のモジュール本体部に設置されたときには、前記出力端子設置部リブと、前記補強部リブとがお互いに接触するように構成されていることを特徴とするバスバモジュール。
【請求項４】
請求項３に記載のバスバモジュールにおいて、
前記出力端子設置部リブのうちの少なくとも一部のリブの延伸方向と、前記補強部リブのうちの少なくとも一部のリブの延伸方向とが、お互いに交差しており、前記第２のモジュール本体部が前記第１のモジュール本体部に設置されたときには、前記出力端子設置部リブのうちの少なくとも一部のリブの一部の部位と、前記補強部リブのうちの少なくとも一部のリブの一部の部位とがお互いに接触するように構成されていることを特徴とするバスバモジュール。
【発明の詳細な説明】
【技術分野】
【０００１】
本発明は、バスバモジュールに係り、特に、バッテリ集合体に設置されて使用されるものに関する。
【背景技術】
【０００２】
従来、図１３、図１４で示すように、樹脂ケース３０１とカバー３０３とを備え、バッテリ集合体３０５に設置されて使用されるバスバモジュール３０７が知られている（たとえば、特許文献１参照）。
【０００３】
バスバモジュール３０７のカバー３０３には、ヒンジ部３０９を介して開閉部３１１が設けられており、開閉部３１１には係止孔３１３が設けられている。樹脂ケース３０１には、係止爪３１５が設けられている。
【０００４】
そして、開閉部３１１をヒンジ部３０９のところで回動して、開閉部３１１を閉じることで（図１３参照）、電極３１７が開閉部３１１で覆われ、開閉部３１１を開くことで（図１４参照）、電極３１７が露出するようになっている。
【０００５】
開閉部３１１を開いておくことで、電極３１７に外部機器からの電線を接続する作業やバッテリ集合体３０５の整備作業が容易になる。また、開閉部３１１を閉じることで、電極３１７が覆われ、電極３１７への塵埃等の付着が防止される。
【０００６】
開閉部３１１が閉じているときには、開閉部３１１の係止孔３１３に、係止爪３１５が係合することで、開閉部３１１が固定され、開閉部３１１が閉じている状態を維持することができるようになっている。
【０００７】
また、従来の技術に関連する文献として特許文献２を掲げることができる。
【先行技術文献】
【特許文献】
【０００８】
【特許文献１】特開２００１−３３２２３５号公報
【特許文献２】特開２００９−１５８３３４号公報
【発明の概要】
【発明が解決しようとする課題】
【０００９】
ところで、従来のバスバモジュール３０７では、開閉部３１１を閉じるときに、受け側の樹脂ケース３０１の剛性が低くなりやすく、係止爪３１５が係止孔３１３に入り込むときに、開閉部３１１から受ける力で樹脂ケース３０１（係止爪３１５近傍の部位）が撓んでしまい、係止爪３１５が係止孔３１３との位置合わせと嵌合作業が困難になるという問題がある。換言すれば、樹脂ケース３０１（係止爪３１５近傍の部位）が撓むことで、係止爪３１５に対する係止孔３１３の位置ずれが発生し、係止爪（係止部）３１５が係止孔（被係止部）３１３に入り込み難くなり、開閉部３１１を閉じ位置に固定しにくくなるという問題がある。
【００１０】
本発明は、上記問題点に鑑みてなされたものであり、バッテリ集合体の各バッテリを直列接続するために前記バッテリ集合体に設置されるバスバモジュールにおいて、モジュール本体部の剛性が低くても、ヒンジカバーの被係止部がモジュール本体部の係止部と係合しやすいバスバモジュールを提供することを目的とする。
【課題を解決するための手段】
【００１１】
請求項１に記載の発明は、バッテリ集合体の各バッテリを直列接続するために、前記バッテリ集合体に設置されて使用されるバスバモジュールにおいて、出力端子が設置される出力端子設置部が設けられている第１のモジュール本体部と、前記第１のモジュール本体部に対して着脱自在である第２のモジュール本体部と、前記出力端子設置部に設置された出力端子を覆うために、ヒンジ部を介して前記第１のモジュール本体部に設けられている出力端子カバーと、前記出力端子カバーに設けられているカバー被係止部と、前記第１のモジュール本体部の出力端子設置部に設けられ、前記出力端子カバーが前記出力端子設置部に設置された出力端子を覆うときに、前記出力端子カバーのカバー被係止部が係止されるカバー係止部と、前記第２のモジュール本体部に設けられ、前記第２のモジュール本体部が前記第１のモジュール本体部に設置されときに前記出力端子設置部に係合し、前記カバー被係止部が前記カバー係止部に係止されるときに前記出力端子設置部の変形を防止する補強部とを有するバスバモジュールである。
【００１２】
請求項２に記載の発明は、請求項１に記載のバスバモジュールにおいて、前記出力端子設置部は、板状に形成されており、前記補強部も、板状に形成されており、前記第２のモジュール本体部が前記第１のモジュール本体部に設置されたときには、前記補強部が前記出力端子設置部に重なるように構成されており、前記カバー被係止部が前記カバー係止部に係止されるときに前記出力端子カバーから前記出力端子設置部が受ける反力の方向と、前記出力端子設置部と前記補強部との厚さ方向であって前記出力端子設置部から前記補強部に向かう方向とが、お互いにほぼ一致するように構成されているバスバモジュールである。
【００１３】
請求項３に記載の発明は、請求項２に記載のバスバモジュールにおいて、前記出力端子設置部は、平板状の出力端子設置部本体部と、この出力端子設置部本体部から突出している出力端子設置部リブとを備えて構成されており、前記補強部は、平板状の補強部本体部と、この補強部本体部から突出している補強部リブとを備えて構成されており、前記第２のモジュール本体部が前記第１のモジュール本体部に設置されたときには、前記出力端子設置部リブと、前記補強部リブとがお互いに接触するように構成されていることを特徴とするバスバモジュールである。
【００１４】
請求項４に記載の発明は、請求項３に記載のバスバモジュールにおいて、前記出力端子設置部リブのうちの少なくとも一部のリブの延伸方向と、前記補強部リブのうちの少なくとも一部のリブの延伸方向とが、お互いに交差しており、前記第２のモジュール本体部が前記第１のモジュール本体部に設置されたときには、前記出力端子設置部リブのうちの少なくとも一部のリブの一部の部位と、前記補強部リブのうちの少なくとも一部のリブの一部の部位とがお互いに接触するように構成されているバスバモジュールである。
【発明の効果】
【００１５】
本発明によれば、バッテリ集合体の各バッテリを直列接続するために前記バッテリ集合体に設置されるバスバモジュールにおいて、モジュール本体部の剛性が低くても、ヒンジカバーの被係止部がモジュール本体部の係止部と係合しやすいバスバモジュールを提供することができるという効果を奏する。
【図面の簡単な説明】
【００１６】
【図１】本発明の実施形態に係るバスバモジュールであって第１のモジュール本体部と第２のモジュール本体部とが離れているものの概略構成を示す図であり、（ｂ）は正面図であり、（ａ）は（ｂ）におけるＩＡ矢視図であり、（ｃ）は（ｂ）におけるＩＣ矢視図である。
【図２】本発明の実施形態に係るバスバモジュールであって、第１のモジュール本体部と第２のモジュール本体部とがお互いに合体しており、出力端子カバーが開いているものの概略構成を示す図であり、（ｂ）は正面図であり、（ａ）は（ｂ）におけるＩＩＡ矢視図であり、（ｃ）は（ｂ）におけるＩＩＣ矢視図である。
【図３】図２に示すものの斜視図である。
【図４】図２に示すものの別視点からの斜視図である。
【図５】本発明の実施形態に係るバスバモジュールであって、第１のモジュール本体部と第２のモジュール本体部とがお互いに合体しており、出力端子カバーが閉じているものの概略構成を示す図であり、（ａ）は正面図であり、（ｂ）は（ａ）におけるＶＢ矢視図である。
【図６】図５に示すものの斜視図である。
【図７】図５に示すものの別視点からの斜視図である。
【図８】図５に示すもののさらなる別視点からの斜視図である。
【図９】本発明の実施形態に係るバスバモジュールであって第１のモジュール本体部と第２のモジュール本体部とが離れているものの概略構成を示す斜視図である。
【図１０】図９に示すものの別視点からの斜視図である。
【図１１】（ａ）は、図５（ｂ）におけるＸＩ部を模式的に示した図であって、図８でＸＩ矢視したものを模式的に示した図であり、（ｂ）は、（ａ）におけるＸＩ矢視図であり、（ｃ）は、（ａ）から補強部を除去した端子設置部のみを示す図であり、（ｄ）は、（ａ）から端子設置部を除去した補強部のみを示す図である。
【図１２】（ａ）は、図１１（ａ）におけるＸＩＩ−ＸＩＩ断面を示す図であり、（ｂ）は、（ａ）との比較例を示す図である。
【図１３】従来のバスバモジュールをバッテリ集合体に設置した状態を示す斜視図である。
【図１４】従来のバスバモジュールをバッテリ集合体に設置した状態を示す斜視図である。
【発明を実施するための形態】
【００１７】
本発明の実施形態に係るバスバモジュール（バッテリ接続体）１は、従来のものと同様に、バッテリ集合体（図１〜図１２では図示せず）の各バッテリを直列接続するために、バッテリ集合体のたとえば側部に設置されて使用されるものである。
【００１８】
ここで、説明の便宜のために、バスバモジュール１における一方向を長手方向（Ｘ軸方向）とし、長手方向に対して直交する一方向を縦方向（Ｙ軸方向）とし、長手方向と縦方向とに対して直交する方向を厚さ方向（Ｚ軸方向）とする。
【００１９】
バッテリは、たとえば細長い直方体状に形成されており、この長手方向の一方の面からプラス端子とマイナス端子とが突出している。
【００２０】
バッテリ集合体は、お互いが同形状に形成されている複数のバッテリ（セル）で構成されている。バッテリ集合体では、各バッテリそれぞれの長手方向が、水平な一方向（バスバモジュールでは厚さ方向）になっており、お互いに一致している。バッテリ集合体では、各バッテリの長手方向の一方の面（プラス端子とマイナス端子とが突出している面）が、一平面内に位置しており、各バッテリの長手方向の他方の面が、他の一平面内に位置している。また、バッテリ集合体では、上記水平な一方向と直交する他の水平な一方向（バスバモジュールでは長手方向）に、各バッテリがお互いに接触しもしくは僅かな間隙を隔ててならんでいる。さらに、バッテリ集合体では、上下方向（バスバモジュール１では縦方向）に、上記他の水平な一方向にならんでいるバッテリが、接触しもしくは僅かな間隙を隔てて２段等の多段で重なっている。
【００２１】
これより、バッテリ集合体を各バッテリの長手方向（プラス端子とマイナス端子とが突出している側）から見ると、複数のバッテリが水平方向と上下方向に行列をなしてならんでいる。さらに、上記他の水平な一方向にならんでいる各バッテリのそれぞれのプラス端子とマイナス端子とが交互にならんでいる。
【００２２】
バスバモジュール１は、図１〜図１０で示すように、第１のモジュール本体部３と第２のモジュール本体部５とを備えて構成されている。バスバモジュール１のバスバ設置部７には、複数の金属製で平板状のバスバ９が嵌り込む等して一体的に設置されるようになっている。
【００２３】
バスバモジュール１に設置されたバスバ（設置済みバスバ）９のそれぞれは、バスバモジュール１がバッテリ集合体に設置されたときに、各バッテリの端子のそれぞれに接続され、バッテリ集合体の各バッテリが直列接続されるようになっている。
【００２４】
第１のモジュール本体部３は、たとえば、絶縁性の合成樹脂で構成されており射出成形によって生成されている。第１のモジュール本体部３には、出力端子１１が設置される出力端子設置部（出力端子支持部）１３が設けられている。
【００２５】
また、第１のモジュール本体部３には、出力端子設置部１３とバスバ設置部７との他に、第１のモジュール本体部係止部１５が設けられている。
【００２６】
出力端子１１は、第１のモジュール本体部３（出力端子設置部１３）に嵌り込む等して、第１のモジュール本体部３に一体的に設置されるようになっている。
【００２７】
出力端子１１は、導電性の金属材料で構成されており、バスバモジュール１がバッテリ集合体に設置されたときに、各バスバ９で直列接続された各バッテリのうちのたとえば端部のバッテリの端子（電極）と係合して導通するようになっている。
【００２８】
第２のモジュール本体部５も、第１のモジュール本体部と同様にして、絶縁性の合成樹脂で構成されており、第１のモジュール本体部とは別個の射出成形によって生成されている。第２のモジュール本体部５は、第１のモジュール本体部３に対して着脱自在になっており、第１のモジュール本体部３に設置されたときに第１のモジュール本体部３と一体化するようになっている。
【００２９】
なお、第１のモジュール本体部３と第２のモジュール本体部５とに分割しているのは、第１のモジュール本体部３や第２のモジュール本体部５の成形に使用する金型が大型化することを防ぐためである。また、バスバモジュール１を複数のモジュール本体部３，５に分割しユニット化しておけば、直列接続されるバッテリの数が増える等しても柔軟に対応することができるからである。
【００３０】
第２のモジュール本体部５には、バスバ設置部７の他に、第２のモジュール本体部係止部１７が設けられている。
【００３１】
そして、第１のモジュール本体部係止部１５と第２のモジュール本体部係止部１７とをお互いに係合させることで、第２のモジュール本体部５が第１のモジュール本体部３に設置され、第１のモジュール本体部３と第２のモジュール本体部５とが一体化し、この一体化したものに、バスバ９や出力端子１１等を設置することで、バスバモジュール１が生成されるようになっている。
【００３２】
また、バスバモジュール１には、出力端子カバー（ヒンジカバー）１９が設けられている。出力端子カバー１９は、出力端子設置部１３に設置された出力端子１１を覆うためのものであり、ヒンジ部（たとえば他の部分よりも薄いセルフヒンジで構成されたヒンジ部）２１を介して第１のモジュール本体部３に設けられている。また、出力端子カバー１９は、ヒンジ部２１とともに第１のモジュール本体部３と一体成形されている。
【００３３】
出力端子カバー１９には、カバー被係止部２３が設けられている。カバー被係止部２３は、ヒンジ部２１から離れたところ（たとえば、ヒンジ部２１とは反対側）に位置している。
【００３４】
出力端子カバー１９は、枡状に形成されている。枡状に形成されている出力端子カバー１９の矩形状の開口部の１辺の近傍にヒンジ部２１が設けられている。直線状のヒンジ部２１は、第１のモジュール本体部３の出力端子設置部１３から所定の距離だけ離れたところに位置している。そして、ヒンジ部２１を回動中心にしてたとえば１８０°回動することで、出力端子カバー１９が、第１のモジュール本体部３の出力端子設置部１３に設置された出力端子（設置済み出力端子）１１を覆い隠す位置（覆隠位置；図７等参照）と、設置済み出力端子１１が露出するように設置済み出力端子１１を開放する位置（開放位置；図４等参照）との間を回動するようになっている。
【００３５】
出力端子カバー１９のカバー被係止部２３は、ヒンジ部２１が設けられている辺（枡状に形成されている出力端子カバー１９の矩形状の開口部の１辺）と対向している他の１辺のところに設けられている。たとえば、カバー被係止部２３は、他の１辺の近くに設けられた貫通孔（枡状に形成されている出力端子カバー１９の側部を貫通している貫通孔）２５で構成されている。
【００３６】
第１のモジュール本体部３の出力端子設置部１３には、カバー係止部２７が設けられている。カバー係止部２７は、出力端子カバー１９が設置済み出力端子１１を覆うときに、出力端子カバー１９のカバー被係止部２３が係止されるものである。
【００３７】
出力端子カバー１９が、覆隠位置に位置したときには、出力端子カバー１９のカバー被係止部２３が第１のモジュール本体部３のカバー係止部２７に係止され、出力端子カバー１９が覆隠位置で固定されるようになっている。さらに説明すると、たとえば、第１のモジュール本体部３のカバー係止部２７は、第１のモジュール本体部３の出力端子設置部１３（出力端子設置部１３の中央に対してヒンジ部２１が設けられているところとは反対側のところ）に形成された突起２９で構成されている。
【００３８】
そして、出力端子カバー１９が、覆隠位置の位置したときには、カバー係止部２７の突起２９が、カバー被係止部２３の貫通孔２５に入り込み、出力端子カバー１９のカバー被係止部２３が第１のモジュール本体部３のカバー係止部２７に係止されるようになっている。
【００３９】
第２のモジュール本体部５には、補強部（出力端子設置部補強部）３１が設けられている。補強部３１は、第２のモジュール本体部５が第１のモジュール本体部３に設置されときに出力端子設置部１３に係合し、カバー被係止部２３がカバー係止部２７に係止されるときに出力端子設置部１３の変形を防止するようになっている。すなわち、第２のモジュール本体部５が第１のモジュール本体部３に設置されて出力端子設置部１３に補強部３１が係合して出力端子設置部１３を支えることで、出力端子設置部１３が変形し難くなっている。
【００４０】
そして、出力端子カバー１９を開放位置から覆隠位置に位置させるべく出力端子カバー１９のカバー被係止部２３を第１のモジュール本体部３のカバー係止部２７に係止するときに、出力端子カバー１９から受ける反力で、出力端子設置部１３が弾性変形することがほぼ回避されるようになっている（弾性したとしてもその量はごく僅かであり許容できる量である）。
【００４１】
これにより、出力端子カバー１９のカバー被係止部２３に対する出力端子設置部１３のカバー係止部２７の位置ずれがほぼ無くなり（位置ずれ量が許容値内になり）、カバー被係止部２３とカバー係止部２７とがお互いに係合しない事態やし難くなる事態の発生を回避することができるようになっている。
【００４２】
また、出力端子設置部１３は、板状（たとえば平板状）に形成されており、補強部３１も、板状（たとえば平板状）に形成されている。そして、第２のモジュール本体部５が第１のモジュール本体部３に設置されたときには、補強部３１が出力端子設置部１３に重なるように構成されている。
【００４３】
出力端子１１は、補強部３１が重なる側とは反対側で出力端子設置部１３に設置されるようになっており、出力端子カバー１９は、補強部３１が重なる側とは反対側で設置済み出力端子１１を覆うようになっている。
【００４４】
また、カバー被係止部２３がカバー係止部２７に係止されるときに出力端子カバー１９から出力端子設置部１３が受ける反力の方向と、出力端子設置部１３と補強部３１との厚さ方向であって出力端子設置部１３から補強部３１に向かう方向（バスバモジュール１の縦方向であって他端側から一端側に向かう方向）とが、お互いにほぼ一致するように構成されている。
【００４５】
出力端子設置部１３は、平板状の出力端子設置部本体部３３と、この出力端子設置部本体部３３から突出している出力端子設置部リブ３５とを備えて構成されている。補強部３１は、平板状の補強部本体部３７と、この補強部本体部３７から突出している補強部リブ３９とを備えて構成されている。
【００４６】
そして、第２のモジュール本体部５が第１のモジュール本体部３に設置されたときには、出力端子設置部リブ３７と補強部リブ３９とがお互いに接触するように構成されている（図１１（ａ），（ｂ）参照）。
【００４７】
さらに説明すると、第２のモジュール本体部５を第１のモジュール本体部３に設置した状態では、出力端子設置部リブ３７が出力端子設置部本体部３３から補強部３１側に突出しており、補強部リブ３９が補強部本体部３７から出力端子設置部１３側に突出しており、出力端子設置部リブ３５の平面状の先端と補強部リブ３９の平面状の先端とがお互いに接触している。換言すれば、板状の出力端子設置部本体部３３と板状の補強部本体部３７との間に、出力端子設置部リブ３５と補強部リブ３９とが存在している。
【００４８】
また、出力端子設置部リブ３５のうちの少なくとも一部のリブの延伸方向と、補強部リブ３９のうちの少なくとも一部のリブの延伸方向とが、お互いに交差している（たとえば直交している）。
【００４９】
そして、第２のモジュール本体部５が第１のモジュール本体部３に設置されたときには、出力端子設置部リブ３５のうちの少なくとも一部のリブの一部の部位と、補強部リブ３９のうちの少なくとも一部のリブの一部の部位とがお互いに接触するように構成されている。
【００５０】
たとえば、図１１（ａ）で示すように、出力端子設置部リブ３５のうちの一部のリブ３５Ａの延伸方向が、バスバモジュール１の厚さ方向になっており、補強部リブ３９のうちの一部のリブ３９Ａの延伸方向が、バスバモジュール１の長手方向になっている。
【００５１】
そして、第２のモジュール本体部５が第１のモジュール本体部３に設置されたときには、出力端子設置部リブ３５の一部のリブ３５Ａと、補強部リブ３９の一部のリブ３９Ａとの交差部位で、各リブ３５Ａ，３９Ａ同士がお互いに接触するようになっている。
【００５２】
バスバモジュール１についてさらに説明する。
【００５３】
第１のモジュール本体部３は、概ね平板状に形成されている基板状部位４１を備えている。バスバ設置部７は、基板状部位４１に複数形成されている。
【００５４】
図４等で示すように、第１のモジュール本体部係止部１５は、長手方向では基板状部位４１の一端部に設けられており、縦方向では基板状部位４１の一端側に設けられている。
【００５５】
第１のモジュール本体部係止部１５は、長手方向で基板状部位４１の一端から突出している一対の係止爪４３と２つの凹部（図示せず）とで構成されている。２つ凹部のうちの一方の凹部は、一対の係止爪４３の間に設けられている。
【００５６】
出力端子設置部１３は、長手方向では基板状部位４１の一端部に設けられており、縦方向では基板状部位４１の中間部であって第１のモジュール本体部係止部１５の２つ凹部のうちの他方の凹部のところに設けられている。また、板状に形成されている出力端子設置部１３は、厚さ方向では基板状部位４１から他端側に突出している。また、板状の出力端子設置部１３の厚さ方向は縦方向になっている。出力端子設置部リブ３５は、出力端子設置部本体部３７から縦方向一端側に突出している。
【００５７】
ヒンジ部２１は、長手方向では出力端子設置部１３の一端に設けられている。ヒンジ部２１での出力端子カバー１９の曲げ線（回動中心線）は、バスバモジュール１の厚さ方向に延伸している。
【００５８】
開放位置にある出力端子カバー１９は、バスバモジュール１の長手方向でヒンジ部２１の一端から突出しており、縦方向他端側に開口している。
【００５９】
カバー係止部２７は、バスバモジュール１の長手方向では出力端子設置部１３の他端に設けられている。出力端子カバー１９が開放位置にある場合、カバー被係止部２３は、バスバモジュール１の長手方向では出力端子カバー１９の一端の近傍に設けられている。
【００６０】
出力端子１１は、平板状の素材を一箇所で９０°折り曲げた「Ｌ」字状に形成されていることで、平板状の第１の部位４５と平板状の第２の部位４７とを備えて構成されている。
【００６１】
第２の部位４７からは、オスねじ４９が突出している。オスねじ４９は、第２の部位４７の厚さ方向で第１の部位４５側に突出している。
【００６２】
出力端子１１が出力端子設置部１３に設置された状態では、第２の部位４７が出力端子設置部１３に係合し、第２の部位４７の厚さ方向がバスバモジュール１の縦方向になり、オスねじ４９は、第２の部位４７から縦方向他端側に突出している。また、出力端子１１が出力端子設置部１３に設置された状態では、第１の部位４５が基板状部位４１に係合し、第１の部位４５の厚さ方向がバスバモジュール１の厚さ方向になっている。
【００６３】
そして、バスバモジュール１をバッテリ集合体に設置したときには、第１の部位４５がボルト（図示せず）等を介してバッテリ集合体の端子に接続され、オスねじ４９には、他の機器の電線の端子が接続されるようになっている。このとき、オスねじ４９への電線の端子の接続を上方からできるので、電線の端子の接続がしやすくなっている。
【００６４】
開放位置にある出力端子カバー１９が、ヒンジ部２１のところで１８０°回動して覆隠位置に位置すると、図７等で示すように、出力端子カバー１９は、長手方向でヒンジ部２１から他端側に突出するようになり、縦方向一端側に開口する。ただし、出力端子カバー１９の開口部は出力端子設置部１３で塞がれる。
【００６５】
また、覆隠位置にある出力端子カバー１９は、設置済み出力端子１１（第１の部位４５、オスねじ４９）を覆うようになっている。
【００６６】
第２のモジュール本体部５は、概ね平板状に形成されている基板状部位５１と突出部５３を備えている。突出部５３は、長手方向では基板状部位４１の他端部から突出しており、縦方向では基板状部位５１の一端部に設けられている。バスバ設置部７は、基板状部位５１に複数形成されている。
【００６７】
第２のモジュール本体部係止部１７は、長手方向では基板状部位５１の他端部に設けられており、縦方向では基板状部位５１の一端側に設けられている。
【００６８】
さらに説明すると、第２のモジュール本体部係止部１７は、長手方向で突出部５３の他端側の部位と、突出部５３の他端から突出している小突起５５と、別の小突起５７とで構成されている。
【００６９】
そして、図１に示す状態から第１のモジュール本体部３に対して第２のモジュール本体部５を矢印の方向に移動し、第１のモジュール本体部３に第２のモジュール本体部５を設置する途中の状態では、一対の係止爪４３が突出部５３に押されてお互いの間隔が開くような弾性変形をするようになっている。
【００７０】
第１のモジュール本体部３に第２のモジュール本体部５を設置し終えた状態では、一対の係止爪４３が復元し、第２のモジュール本体部５が第１のモジュール本体部３から離れることが防止されるようになっているとともに、第１のモジュール本体部３の一方の凹部に第２のモジュール本体部５の小突起５５が嵌り、第１のモジュール本体部３の他方の凹部に第２のモジュール本体部５の別の小突起５７が嵌るようになっている。
【００７１】
バスバモジュール１は、図１に示す状態から、第１のモジュール本体部３に第２のモジュール本体部５を設置することで、図２等で示す状態になる。なお、図１の示す状態では、モジュール本体部３，５にバスバ９が設置されており、第１のモジュール本体部３に出力端子１１が設置されているものとする。また、図２に示す状態では、出力端子カバー１９が開放位置に位置している。
【００７２】
続いて、バスバモジュール１をバッテリ集合体に設置し、出力端子のオスねじに他の機器の端子を設置する。
【００７３】
続いて、出力端子カバー１９をヒンジ部２１で１８０°回動することで、図５〜図８に示すように、出力端子カバー１９が覆隠位置に位置する。
【００７４】
バスバモジュール１によれば、出力端子カバー１９のカバー被係止部２３が第１のモジュール本体部３に設けられている出力端子設置部１３のカバー係止部２７に係止されるときに、出力端子設置部１３の変形を防止する補強部３１が第２のモジュール本体部５に設けられているので、第１のモジュール本体部３の剛性が低くても、出力端子カバー１９のカバー被係止部２３が出力端子設置部１３のカバー係止部２７と係合しやくなる。
【００７５】
また、バスバモジュール１によれば、出力端子設置部１３が板状に形成されており、補強部３１が板状に形成されており、第２のモジュール本体部５が第１のモジュール本体部３に設置されたときに補強部３１が出力端子設置部１３に重なり、カバー被係止部２３がカバー係止部２７に係止されるときに出力端子カバー１９から出力端子設置部１３が受ける反力の方向と、出力端子設置部１３と補強部３１との厚さ方向でとがお互いにほぼ一致しているので、出力端子設置部１３や補強部３１の厚さ寸法を大きくすることなく、出力端子設置部１３の変形を防止することができ、出力端子１１のカバー被係止部２３が出力端子設置部１３のカバー係止部２７と係合しやくなる。
【００７６】
また、バスバモジュール１によれば、第２のモジュール本体部５が第１のモジュール本体部３に設置されたときには、出力端子設置部リブ３５（３５Ａ）と、補強部リブ３９（３９Ａ）とがお互いに接触するように構成されているので、出力端子設置部１３と補強部３１とがお互いに重なったときにおける出力端子設置部１３と補強部３１と断面二次モーメントの値を大きくすることができ、出力端子設置部１３の変形を一層防止することができ、出力端子カバー１９のカバー被係止部２３が出力端子設置部１３のカバー係止部２７に一層係合しやくなる。
【００７７】
図１１を用いて詳しく説明すると、本発明の実施形態に係るバスバモジュール１では、（ａ）で示すように、板状の出力端子設置部本体部３３と板状の補強部本体部３７との間に、出力端子設置部リブ３５と補強部リブ３９とが存在しているので、出力端子設置部１３と補強部３１と断面二次モーメントの値が大きくなっており、出力端子設置部１３が変形し難くなっている。一方、（ｂ）で示すように、補強部を設けることなく、出力端子設置部リブ３５の高さを高くしても、（ａ）に比べて断面二次モーメントの値が小さくなる。
【００７８】
また、バスバモジュール１によれば、出力端子設置部リブ３５のうちの一部のリブ３５Ａの延伸方向と、補強部リブ３９のうちの一部のリブ３９Ａの延伸方向とが、お互いに直交しており、第２のモジュール本体部５が第１のモジュール本体部３に設置されたときには、出力端子設置部リブ３５の一部のリブ３５Ａの一部の部位と、補強部リブ３９のうちの一部のリブ３９Ａの一部の部位とがお互いに接触するように構成されているので、出力端子設置部１３に対する補強部３１の位置ずれが多少あっても、出力端子設置部リブ３５の一部と補強部リブ３９の一部とがお互いに確実に接触し、出力端子カバー１９のカバー被係止部２３が出力端子設置部１３のカバー係止部２７と一層係合しやくなる。
【符号の説明】
【００７９】
１  バスバモジュール
３  第１のモジュール本体部
５  第２のモジュール本体部
１１  出力端子
１３  出力端子設置部
１９  出力端子カバー
２１  ヒンジ部
２３  カバー被係止部
２７  カバー係止部
３１  補強部
３３  出力端子設置部本体部
３５、３５Ａ  出力端子設置部リブ
３７  補強部本体部
３９、３９Ａ  補強部リブ
【図１】
2014017107.tif 000003
【図２】
2014017107.tif 000004
【図３】
2014017107.tif 000005
【図４】
2014017107.tif 000006
【図５】
2014017107.tif 000007
【図６】
2014017107.tif 000008
【図７】
2014017107.tif 000009
【図８】
2014017107.tif 000010
【図９】
2014017107.tif 000011
【図１０】
2014017107.tif 000012
【図１１】
2014017107.tif 000013
【図１２】
2014017107.tif 000014
【図１３】
2014017107.tif 000015
【図１４】
2014017107.tif 000016